(57)【特許請求の範囲】
【請求項１】
照明システムの電気的作動手段の運転開始方法であって、
前記照明システムは、複数のランプ（ＬＰ１；ＬＰ２；ＬＰ３；ＬＰ４；ＬＰ５；ＬＰ６；ＬＰ７；ＬＰ８）と、該ランプが装着された電気的照明器具（Ｌ１；Ｌ２；Ｌ３；Ｌ４；Ｌ５；Ｌ６）を作動するための電気的作動手段（Ｂ１；Ｂ２；Ｂ３；Ｂ４；Ｂ５；Ｂ６）と、該電気的作動手段（Ｂ１；Ｂ２；Ｂ３；Ｂ４；Ｂ５；Ｂ６）を制御する少なくとも１つの制御装置（Ｓｔ）と、少なくとも１つの該制御装置（Ｓｔ）を操作およびプログラミングするための操作要素（Ｓ）とを有しており、
照明システムの運転開始フェーズ中に当該の照明システムの初期化を行うために、
ａ）アドレス割り当てを開始する制御命令を、少なくとも１つの制御装置（Ｓｔ）から、該制御装置（Ｓｔ）により制御される電気的作動手段（Ｂ１；Ｂ２；Ｂ３；Ｂ４；Ｂ５；Ｂ６）に送信し、
ｂ）少なくとも１つの制御装置（Ｓｔ）により制御される電気的作動手段（Ｂ１；Ｂ２；Ｂ３；Ｂ４；Ｂ５；Ｂ６）を選択し、
ｃ）個々のアドレスを、少なくとも１つの制御装置（Ｓｔ）の、未使用アドレスのストックから、選択された電気的作動手段（Ｂ１；Ｂ２；Ｂ３；Ｂ４；Ｂ５；Ｂ６）に伝送し、
ｄ）選択された電気的作動手段（Ｂ１；Ｂ２；Ｂ３；Ｂ４；Ｂ５；Ｂ６）に割り当てられたアドレスを電気的作動手段の不揮発性記憶装置に記憶して選択が終わり、
ｅ）電気的作動手段（Ｂ１；Ｂ２；Ｂ３；Ｂ４；Ｂ５；Ｂ６）が少なくとも１つの制御装置（Ｓｔ）によって制御されなければならず、かつ前記電気的作動手段にアドレスを割り当てなければならない残りの照明器具（Ｌ１；Ｌ２；Ｌ３；Ｌ４；Ｌ５；Ｌ６）に対して上記のステップｂ）からｄ）を繰り返す、
照明システムの電気的作動手段の運転開始方法において、
初期化開始時に、駆動すべき電気的作動手段の全てをまずスイッチオンし、
各ランプへの電気接続を遮断および再形成することにより、少なくとも１つの制御装置によって駆動すべき電気的作動手段を選択し、ここで、選択された電気的作動手段から電気接続の遮断を少なくとも１つの制御装置へ通報する
照明システムの電気的作動手段の運転開始方法。
【請求項２】
ランプ（ＬＰ１；ＬＰ２；ＬＰ３；ＬＰ４；ＬＰ５；ＬＰ６；ＬＰ７；ＬＰ８）と選択される電気的作動手段（Ｂ１；Ｂ２；Ｂ３；Ｂ４；Ｂ５；Ｂ６）との間の電気接続の遮断を、ランプ（ＬＰ１；ＬＰ２；ＬＰ３；ＬＰ４；ＬＰ５；ＬＰ６；ＬＰ７；ＬＰ８）と該ランプのランプソケットとの間の電気接続を遮断することによって行う
請求項１に記載の方法。
【発明の詳細な説明】
【０００１】
【発明の属する技術分野】
本発明は、請求項１の上位概念に記載された、照明システムの電気的作動手段の運転開始方法に関する。
【０００２】
【従来の技術】
本発明の方法は、多数の電気照明器具と、これらの照明器具を制御する少なくとも１つの制御装置と、照明システムを操作およびプログラミングするための操作要素とを有する照明システムのために設けられた方法である。通例、すべての電気的作動手段は１つの制御線に接続されており、またこの制御線は照明システムのすべての制御装置の制御インタフェースに接続されている。ここで作動手段とは、例えば低電圧ハロゲンランプを作動するための電子的な変圧器または位相制御調光器または低圧放電ランプのための電子的安定器のことをいう。例えばスイッチまたは調整器として構成された操作要素を用いることにより、個別の照明器具またはグループ化された照明器具を、制御装置を介するスイッチまたは調整器の操作によりオンオフまたは調整することができる。しかし操作要素は付加的に、制御装置を介して行われる作動手段のプログラミングのためにも使用される。操作要素を用いることにより例えば個々の照明器具を、同時にオンオフないしは調整されるグループにまとめることができる。しかしながらこれらの制御装置によってこれらの制御装置に配属された照明器具が識別できることをあらかじめ保証しておかなければならない。このために照明システムの最初の運転開始の前またはその最中に、システムの初期化すなわち個々の電気的作動手段の識別のための方法が相応の制御装置によって実行される。このことは制御装置がこれらの制御装置に配属された作動手段を認識かつ制御できることの前提条件である。通例、制御装置による作動手段の識別は、各々の照明器具におけるコーディング装置を用いて保証される。
【０００３】
欧州公開公報第ＥＰ０６３９９３８Ａ１号には、請求項１の上位概念に記載した照明システムの制御方法が示されている。この刊行物には例えばグループアドレスを照明システムの照明器具ないしは電気的な負荷に割り当てる方法が記載されている。個々の照明器具の識別が制御装置によってどのようにして行われるかについては、この公開公報第ＥＰ０６３９９３８Ａ１号に記載されていない。
【０００４】
【発明が解決しようとする課題】
本発明の課題は、請求項１の上位概念に記載した照明システムの運転開始方法を改善して、照明システムの運転開始フェーズ中に簡単な手段により、制御装置に配属された個々の電気的作動手段をこの制御装置によって識別できるようにすることである。
【０００５】
【課題を解決するための手段】
上記課題は本発明により、請求項１の特徴部分に記載された構成により解決される。本発明の殊に有利な実施形態は従属請求項に記載されている。
【０００６】
【発明の実施の形態】
ランプおよびこのランプを作動する作動手段が装着された複数の電気的な照明器具と、電気的作動手段を制御する少なくとも１つの制御装置と、この少なくとも１つの制御装置を操作およびプログラミングする操作要素とを有する照明システムの本発明による運転開始方法は、照明システムの運転開始フェーズ中に、少なくとも１つの制御装置によってアドレスを電気的作動手段に割り当てるために複数のステップを有している。本発明では個別のアドレスを電気的作動手段に割り当てるために以下のステップを実行する。
【０００７】
ａ）  電源電圧を、少なくとも１つの制御装置により制御される電気的作動手段に供給する。
【０００８】
ｂ）  アドレス割り当てを開始する制御命令を、少なくとも１つの制御装置から、この制御装置により制御される電気的作動手段に送信する。
【０００９】
ｃ）  少なくとも１つの制御装置により制御される電気的作動手段を、この電気的作動手段とランプとの電気接続を遮断および再形成することによって選択する。
【００１０】
ｄ）  当該電気接続の遮断を、選択された電気的作動手段から少なくとも１つの制御装置に通報する。
【００１１】
ｅ）  アドレスを、少なくとも１つの制御装置の、未使用アドレスのストックから、選択された電気的作動手段に伝送する。
【００１２】
ｆ）  選択された電気的作動手段に割り当てられたアドレスを作動手段の不揮発性記憶装置に記憶し選択が終わる。
【００１３】
ｇ）  電気的作動装置が少なくとも１つの制御装置により制御され、この作動装置にアドレスを割り当てなければならない残りの照明器具に対してステップｃ）からｆ）を繰り返す。
【００１４】
本発明の方法により、簡単な手段で各々の照明器具ないしは各々の作動手段に相応の制御装置によって個別にアドレスを割り当てることができる。アドレスを付与すべき作動手段とこの作動手段によって作動されるランプとの間の電気接続を一時的に遮断することにより、この作動手段ないしはこの照明器具が相応の制御装置によって識別されて選択される。なぜならばこの照明器具に所属する作動手段は、ランプが接続されていない場合、制御装置に通報するからである。このためアドレスを付与すべき作動手段に配属されているランプは、必ずしも動作していなくともよい。作動手段とランプとの間の電気接続は有利には、ランプソケットと口金との間の電気接続を一時的に遮断することによって行われる。ロッド状の蛍光ランプではソケットとランプとの間の電気接続を遮断するために例えばランプを、軸を中心として４分の１だけ回わせば十分である。運転開始フェーズ中、制御装置は電気接続の一時的な遮断に応動し、アドレスをこの照明器具ないしはこの照明器具に所属しかつこのランプを作動する作動手段に伝送し、引き続いてこの作動手段の選択が終わる。作動手段は、これに割り当てられたアドレスを不揮発性記憶装置内に記憶する。本発明によるアドレス割り当ては、作動手段にコーディングスイッチを必要としない。例えば通例は照明器具内に隠れて配置される作動手段を、この初期化方法に対しては手が届くようにする必要がない。さらに本発明の初期化方法を実行するために専門の人員は不要である。
【００１５】
【実施例】
以下では本発明を有利な実施例を用いて詳しく説明する。図１は照明システムの概略ブロック図を示しており、この図を用いて本発明の方法の実施例を詳しく説明する。この照明システムは、多数の電気照明器具Ｌ１，Ｌ２，Ｌ３，Ｌ４，Ｌ５，Ｌ６を有しており、多数の照明器具のうち６つだけが概略的に示されている。これらの照明器具Ｌ１〜Ｌ６の各々は、作動装置Ｂ１，Ｂ２，Ｂ３，Ｂ４，Ｂ５，Ｂ６と、これに接続されたランプＬＰ１，ＬＰ２，ＬＰ３，ＬＰ４，ＬＰ５，ＬＰ６，ＬＰ７，ＬＰ８とからなる。これらのランプはそれぞれ、対応する照明器具の図示しないソケットにはめ込まれている。作動装置Ｂ１〜Ｂ３には例えば蛍光ランプＬＰ１〜ＬＰ３がそれぞれ１つ接続されており、また作動装置Ｂ４では例えば直列に接続された２つの蛍光ランプＬＰ４，ＬＰ５が作動される。作動装置Ｂ５は、例えば低電圧ハロゲンランプＬＰ６を作動するために使用されており、また作動装置Ｂ６には例えば２つの低電圧ハロゲンランプＬＰ７，ＬＰ８が接続されている。電気照明器具Ｌ１〜Ｌ６を制御するために制御装置Ｓｔが設けられており、この制御装置Ｓｔは、２心の制御線１０２を介してこの制御装置Ｓｔによって制御される照明器具Ｌ１〜Ｌ６の各々の作動装置Ｂ１〜Ｂ６に接続されている。これらの作動装置Ｂ１〜Ｂ６の各々の通信インタフェースは、２心の制御線１０２の一方の心線に接続されている。さらにこの照明システムは、制御装置Ｓｔを操作およびプログラミングするための操作要素Ｓを有しており、これら操作要素は例えばスイッチ、キーボード、調整器として構成される。
【００１６】
照明システムの最初の運転開始中、システムの初期化を実行して制御装置Ｓｔがこの制御装置Ｓｔに配属すべき作動装置Ｂ１〜Ｂ６を識別できるようにしなければならない。このためにまず制御装置Ｓｔに配属すべき作動装置Ｂ１〜Ｂ６全部を導通する。この導通過程のために制御装置Ｓｔは不要である。引き続き１つまたは複数の操作要素Ｓを操作することにより、プログラム制御された初期化手段が開始される。これに基づき制御装置Ｓｔは初期化モードに切り替わり、制御線１０２を介してこれに接続された作動装置Ｂ１〜Ｂ６全部に初期化方法の開始命令を送信する。引き続き制御装置Ｓｔは、周期的に反復される時間間隔で、照明器具Ｌ１〜Ｌ６ないしは照明器具Ｌ１〜Ｌ６の作動装置Ｂ１〜Ｂ６が選択されたかどうかをチェックする。例えば作動装置Ｂ４を選択するために、この作動装置Ｂ４に接続されたランプＬＰ４またはＬＰ５のいずれか一方の電気接続を遮断する。このためには、ランプＬＰ４またはＬＰ５と、これに配属されたランプソケットとの間の電気接続を一時的に遮断するだけで十分である。初期化フェーズ中に作動装置Ｂ４は、ランプＬＰ４またはＬＰ５への電気接続の遮断に対して応動して制御装置Ｓｔに通報する。この通報によりこの作動装置Ｂ４が選択される。これに基づいて制御装置Ｓｔは、未使用のアドレスをアドレスのストックから、この選択された作動装置Ｂ４に伝送する。選択された作動装置Ｂ４は、割り当てられたアドレスを装置アドレスとしてこの作動装置Ｂ４の不揮発性記憶装置に記憶し、作動装置Ｂ４ないしはランプＬ４の選択は終わる。制御装置Ｓｔにまだ配属すべき残りの作動装置ないしは照明器具に対しても同じようにする。このようなやり方ですべての作動装置に装置アドレスを割り当てた後、相応の命令を操作要素Ｓを介して入力することにより初期化フェースを終了する。照明器具ないしは作動装置Ｂ１〜Ｂ６はそれぞれ、初期化フェーズの終了時に個別の装置アドレスを有し、これらの装置アドレスによって制御装置Ｓｔはこれらの照明器具Ｌ１〜Ｌ６をそれぞれ識別することができる。
【００１７】
装置アドレスを割り当てることにより作動装置ないしは照明器具を区別することができる。これによって引き続き、個々の作動装置ないしは照明器具をグループにまとめることができる。しかしこのグループ化は照明システムが機能するために必須ではない。
【００１８】
本発明の運転開始方法は、照明システムの最初の運転開始後の任意の後の時点に、例えば別の電気的作動手段ないしは照明器具が照明システムに加わった場合に再実行することができる。
【図面の簡単な説明】
【図１】照明システムの概略ブロック図である。
【符号の説明】
Ｌ１〜Ｌ６  照明器具
Ｂ１〜Ｂ６  作動装置
ＬＰ１〜ＬＰ８  ランプ
Ｓｔ  制御装置
Ｓ  操作要素
【図１】
0004436522.tif 000002